(57)【要約】【課題】  簡単な作業で、ひび割れ部の周辺部が注入材で汚れることがないように建築物のひび割れ部を補修する。【解決手段】  タイル１張りの壁等にできたひび割れ部３を覆うように粘着テープ４を貼り、貼った粘着テープ４の上から、カッターナイフ等を使って前記ひび割れ部３に沿って切れ目５を入れる。その際、透明又は半透明の粘着テープを用いれば、微小なひび割れ部３でも、粘着テープ４の上からひび割れ部３を目で確認でき、ひび割れ部３に沿って確実に切れ目５を入れることができる。そして、切れ目５の上から前記ひび割れ部３に透明なシリコーンシーラントのような注入材を圧入した後に、前記粘着テープ４を剥がして取り除く。【選択図】        図１
2019157624.tif 000002
【特許請求の範囲】
【請求項１】
ひび割れ部を覆うように粘着テープを貼る工程と、貼った粘着テープの上から前記ひび割れ部に沿って切れ目を入れる工程と、該切れ目の上から前記ひび割れ部に注入材を圧入する工程と、注入材を圧入する工程完了後に前記粘着テープを剥がして取り除く工程とを備えたことを特徴とする建築物のひび割れ補修方法。
【請求項２】
前記粘着テープが透明又は半透明であることを特徴とする請求項１に記載の建築物のひび割れ補修方法。
【請求項３】
前記注入材がシリコーンシーラントであることを特徴とする請求項１又は２に記載の建築物のひび割れ補修方法。
【請求項４】
前記ひび割れ部が、タイル張りの壁に生じたひび割れ部であることを特徴とする請求項１，２又は３に記載の建築物のひび割れ補修方法。
【発明の詳細な説明】
【技術分野】
【０００１】
本発明は、鉄筋コンクリート建築物の壁等に発生するひび割れを補修するための補修方法に関するものである。
【背景技術】
【０００２】
従来の建築物のひび割れ補修方法としては、例えば、特許文献１に、コンクリート構造物に生じたひび割れの補修方法として、コンクリート構造物に生じたひび割れ部に沿って、台座に設けた細長い注出口を合わせて注入材の注入器具を接着させ、その抽出口からひび割れ部に注入材を圧入する方法が示されている。注入材の圧入が終了したら、ヘラ等で注入器具を取り外して、コンクリート構造物に付着した接着材等をそぎ落として作業を完了する。
【先行技術文献】
【特許文献】
【０００３】
【特許文献１】特開平９−３２３０８号公報
【発明の概要】
【発明が解決しようとする課題】
【０００４】
従来は、このようにしてひび割れ部に注入材を注入していたが、そのような方法では、注入材がひび割れ部から周辺部に漏れ出て、周辺部が注入材で汚れて見苦しくなるという問題点があった。この問題は、タイル張りの壁に発生したひび割れに施こした場合には、漏れた接着材等を、汚れが目立たないようにシンナー等で洗浄しなければならず、かなりの手間がかかってしまう。そのため、ひび割れしたタイルを新しいタイルに張り替えることが多くなっていた。そして、タイルを張り替えるとなると、同色のタイルを探すのが極めて困難で、できるだけ近い色のタイルを用いても、補修部分が目立ってしまうという問題点もあった。一方、周辺部の汚れを防止する手段として、ひび割れ部の両側にマスキングテープ等を貼ったり、あとで剥がすことのできる接着材で、ひび割れ部から接着材が漏れないようにして養生して注入し、作業後にマスキングテープ等を剥がして取り除くという方法が行われていたが、ひび割れ部は必ずしも直線状にはならず、そのようなひび割れ部に沿って２枚のマスキングテープを貼る等の作業は非常に手間がかかるという問題点があった。
【０００５】
本発明は、そのような問題点に鑑み、簡単な作業で、ひび割れ部の周辺部が注入材で汚れることなく補修できるようにすることを目的とするものである。
【課題を解決するための手段】
【０００６】
前記課題を解決するため、本願の請求項１に係る発明は、ひび割れ部を覆うように粘着テープを貼る工程と、貼った粘着テープの上から前記ひび割れ部に沿って切れ目を入れる工程と、該切れ目の上から前記ひび割れ部に注入材を圧入する工程と、注入材を圧入する工程完了後に前記粘着テープを剥がして取り除く工程とを備えたことを特徴とする。
【０００７】
また、本願の請求項２に係る発明は、請求項１に係る発明において、前記粘着テープが透明又は半透明であることを特徴とする。
【０００８】
また、本願の請求項３に係る発明は、請求項１又は２に係る発明において、前記注入材がシリコーンシーラントであることを特徴とする。
【０００９】
また、本願の請求項４に係る発明は、請求項１，２又は３に係る発明において、前記ひび割れ部が、タイル張りの壁に生じたひび割れ部であることを特徴とする。
【発明の効果】
【００１０】
本発明は、次のような効果を奏する。
すなわち、請求項１に係る発明においては、ひび割れ部を粘着テープを貼って覆い、貼った粘着テープの上から前記ひび割れ部に沿って切れ目を入れ、該切れ目の上から前記ひび割れ部に注入材を圧入するようにしたので、手間をかけずにひび割れ部への注入材を圧入でき、また、注入材を圧入する工程完了後に前記粘着テープを剥がして取り除けば、ひび割れ部からはみ出した注入材は粘着テープとともに取り除かれるので、ひび割れ部の周辺部が汚れることがない。
【００１１】
また、請求項２に係る発明においては、請求項１に係る建築物のひび割れ補修方法において、前記粘着テープとして透明又は半透明のものを用いるようにしたので、幅の狭い小さなひび割れ部でも粘着テープの上から目で確認でき、確実に、ひび割れ部に沿って切れ目を入れることができる。
【００１２】
また、請求項３に係る発明においては、請求項１又は２に係る建築物のひび割れ補修方法において、前記注入材としてシリコーンシーラントを用いるようにしたので、ひび割れ部に充填された後、シリコーンシーラントは耐候性が高く、また、弾力性があって、地震等で補修後のひび割れ部に曲げ応力等が生じてもそれを吸収できて、補修後のひび割れ部を長期間良好な状態に維持できる。
【００１３】
また、請求項４に係る発明においては、請求項１，２又は３に係る建築物のひび割れ補修方法において、タイル張りの壁に生じたひび割れ部に適用するようにしたので、タイルの補修部分が目立ちにくく補修できるため、タイルを張り替えることなく補修することができる。
【図面の簡単な説明】
【００１４】
【図１】タイルのひび割れ補修方法を示す図である。
【図２】注入材の注入器具を示す図である。
【図３】タイルのひび割れ部に注入材を注入する状態を示す図である。
【図４】建築物のタイル張りの壁にひび割れが生じた状態を示す図である。
【発明を実施するための形態】
【００１５】
以下、本発明の実施例を図面に基づいて詳細に説明する。
【実施例１】
【００１６】
ここでは、図４に示すような、建築物のタイル張りの壁にひび割れが生じた場合で説明する。コンクリートの構造体に、各タイル１間にタイル目地２を施して、多数のタイル１を張り付けた壁面では、コンクリートが収縮する等、何らかの理由でコンクリートの構造体にひびが発生すると、それに張り付けられたタイル１にもひびが入り、壁面にひび割れ部３が発生する。そのようなひび割れ部３に対して、何も対策を施さないと、ひび割れ部３から雨水等が浸入して、状態を悪化させてしまう。そのため、注入材を注入してひび割れ部３を塞ぐ必要があるが、前記従来の方法で注入材を注入すると、注入材がひび割れ部３から周辺部に漏れ出て、周辺部が汚れることも多く見苦しくなってしまう。
【００１７】
一方、ひび割れ部３の両側にマスキングテープを貼るには非常に手間がかかってしまう。  そのような問題点を解決するため、次のようなひび割れ補修方法を開発した。
【００１８】
図１は、タイルのひび割れ補修方法を示す図である。符号１，３は、図４のものに対応しており、４は透明な粘着テープ、５は、粘着テープ４の上からカッターナイフ等で、ひび割れ部３に沿って設けた切れ目である。ひび割れ部３を覆うように粘着テープを貼り、貼った粘着テープ４の上から、ひび割れ部３に沿ってカッターナイフ等で切れ目５を入れる。その際、粘着テープ４が透明であるため、粘着テープ４の上から、ひび割れ部３がよく見えるため、カッターナイフ等をひび割れ部３に沿って動かして切れ目５を入れることは簡単にできる。なお、粘着テープ４の上から、ひび割れ部３が見えればよいので、粘着テープ４は透明のものに限らず、半透明のものでもよい。
【００１９】
粘着テープ４に、ひび割れ部３に沿って切れ目５を入れたら、切れ目５に合わせて注入器具を押し当て、切れ目５を通してひび割れ部３内に、例えば、一般にシリコーンシーラントと呼ばれているシリコーン系シーリング材のような注入材を注入する。注入器具６は、例えば、図２に示すように、ゴム材より成る本体の当接面に細長い抽出口７を設け、その抽出口７に連通させて、反対側の面に注入管８を設けたものを用いる。
【００２０】
図３は、タイルのひび割れ部３に注入材を注入する状態を示す図である。粘着テープ４に入れた切れ目５に抽出口７を合わせて注入器具６を押し当てる。その際、注入器具６の本体はゴム材より成っているため、当接面を粘着テープ４の表面に密着させることができる。その状態で、注入管８に注入材容器の抽出口をセットして、圧力Ｐをかけて注入材９を、切れ目５を通してひび割れ部３の中に圧入する。ひび割れ部３の中に注入材９を圧入したら、粘着テープ４をタイル１から剥がして取り除く。
【００２１】
なお、上記実施例では、粘着テープ４として透明や半透明のものを用いたが、必ずしもそれに限定されず、場合によっては、透明や半透明でない粘着テープでも使用可能である。すなわち、透明又は半透明の粘着テープ４を用いれば、ひび割れ部３が幅の狭い小さなものでも粘着テープの上からひび割れ部３を目で確認でき、確実に、ひび割れ部３に沿って切れ目５を入れることができるが、ひび割れ部３の幅が大きい場合は、粘着テープ４が透明又は半透明でなくても、上から手でなぞるだけでひび割れ部３が確認でき、カッターナイフ等を使って、ひび割れ部３に沿って切れ目５を入れることができる。
【００２２】
また、上記実施例では、粘着テープ４の切れ目５への注入材９の圧入を、図２に示すような注入器具６を用いて行う場合で示し、そのように注入器具６を用いれば効率よくできるが、必ずしもそのような注入器具６を用いる必要はなく、ヘラを使って圧入してもよく、手の指を使ってもよい。
【００２３】
また、上記実施例では、本発明をタイル張りの壁の補修に適用する場合で説明したが、本発明は、その他、コンクリート壁等、その他の構造体の補修にも適用できる。また、上記実施例では、注入材として、透明なシリコーンシーラントを用いたが、必ずしもシリコーンシーラントでなくてもよく、透明でなく、タイル１と同系統の色のものでもよい。
【符号の説明】
【００２４】
１  タイル
２  タイル目地
３  ひび割れ部
４  粘着テープ
５  切れ目
６  注入器具
７  抽出口
８  注入管
【図１】
2019157624.tif 000003
【図２】
2019157624.tif 000004
【図３】
2019157624.tif 000005
【図４】
2019157624.tif 000006